【手続補正書】
【提出日】平成15年12月9日(2003.12.9)
【手続補正１】
【補正対象書類名】特許請求の範囲
【補正対象項目名】全文
【補正方法】変更
【補正の内容】
【特許請求の範囲】
【請求項１】
歯科治療室のためのイメージングシステムであって、
画像のデジタル制御および操作を行うように構成される画像処理ユーティリティと、改良型Ｌｅｍｏ（Ｒ）（レモ）レセプタクル、ＳビデオコネクタおよびデジタルＸ線ポートを含む複数の入力接続ポイント、および複数の出力接続ポイントとを備える汎用ドッキングステーションと、
前記複数の入力接続ポイントで前記汎用ドッキングステーションに接続される複数の歯科用イメージング装置であって、それぞれの歯科用イメージング装置が、前記汎用ドッキングステーションから動作ユーティリティおよび制御命令を受け取り、ビデオ出力信号を表示および前記画像処理ユーティリティによる更なる処理のために前記汎用ドッキングステーションへ送信する、複数の歯科用イメージング装置と、
を備えるイメージングシステム。
【請求項２】
前記複数の歯科用イメージング装置の少なくとも１つの歯科用イメージング装置が、Ｓビデオ出力信号を前記汎用ドッキングステーションへ供給する、請求項１に記載のイメージングシステム。
【請求項３】
前記複数の歯科用イメージング装置の少なくとも１つの歯科用イメージング装置が、複合ビデオ出力信号を前記汎用ドッキングステーションへ供給する、請求項１に記載のイメージングシステム。
【請求項４】
前記複数の歯科用イメージング装置の少なくとも１つの歯科用イメージング装置が、デジタルビデオ出力信号を前記汎用ドッキングステーションへ供給する、請求項１に記載のイメージングシステム。
【請求項５】
前記複数の歯科用イメージング装置の少なくとも１つの歯科用イメージング装置が、
（ａ）口内または口外のイメージング用ビデオカメラ、
（ｂ）ビデオ式手術用顕微鏡、
（ｃ）エックス線フィルムスキャナ、または
（ｄ）デジタル式エックス線センサおよびインターフェースモジュール
のうちの少なくとも１つを備える、
請求項１に記載のイメージングシステム。
【請求項６】
前記複数の歯科用イメージング装置の少なくとも１つの歯科用イメージング装置が、ビデオ入力信号を生成する、請求項１に記載のイメージングシステム。
【請求項７】
ビデオ入力信号を生成する、前記複数の歯科用イメージング装置の前記少なくとも１つの歯科用イメージング装置が、ビデオカメラを備える、請求項６に記載のイメージングシステム。
【請求項８】
前記複数の歯科用イメージング装置の少なくとも１つの歯科用イメージング装置が、無線送信インターフェースを備える、請求項１に記載のイメージングシステム。
【請求項９】
前記無線送信インターフェースが赤外線モジュールである、請求項８に記載のイメージングシステム。
【請求項１０】
前記無線送信インターフェースがＲＦモジュールである、請求項８に記載のイメージングシステム。
【請求項１１】
前記複数の歯科用イメージング装置の少なくとも１つの歯科用イメージング装置が、デジタル／アナログ変換器と送信モジュールを備える、請求項１に記載のイメージングシステム。
【請求項１２】
前記複数の歯科用イメージング装置の１つからのビデオ出力信号に対応する前記汎用ドッキングステーションからの出力信号を受け取るために前記汎用ドッキングステーションに接続される、モニタ、コンピュータ、コンピュータ用モニタ、マルチプレクサ、およびプリンタのうちの少なくとも１つを更に備える、請求項１に記載のイメージングシステム。
【請求項１３】
前記画像処理ユーティリティが、
複数の捕捉した画像をモニタに表示する手段と、
捕捉した画像を水平に反転する手段と、
捕捉した画像を垂直に反転する手段と、
捕捉した画像を回転する手段と、
捕捉した画像の倍率を変える手段と
を備える、
請求項１に記載のイメージングシステム。
【請求項１４】
前記画像処理ユーティリティが、前記複数の歯科用イメージング装置からの前記ビデオ出力信号から画像を捕捉する手段を備える、請求項１に記載のイメージングシステム。
【請求項１５】
前記汎用ドッキングステーションが、前記汎用ドッキングステーションによって実行すべき動作を使用者が選択するための制御パネルを備える、請求項１に記載のイメージングシステム。
【請求項１６】
遠隔装置を更に備え、前記遠隔装置が前記汎用ドッキングステーションから離れて位置し、かつ前記遠隔装置が前記汎用ドッキングステーションを制御するように構成される、請求項１５に記載のイメージングシステム。
【請求項１７】
前記遠隔装置が足踏みスイッチである、請求項１６に記載のイメージングシステム。
【請求項１８】
前記遠隔装置が遠隔操作パネルであり、前記遠隔操作パネルが制御パネルを備える、請求項１６に記載のイメージングシステム。
【請求項１９】
前記遠隔操作パネルが、ケーブルによって前記汎用ドッキングステーションに接続される、請求項１８に記載のイメージングシステム。
【請求項２０】
前記遠隔操作パネルが、無線接続によって前記汎用ドッキングステーションに接続される、請求項１８に記載のイメージングシステム。
【請求項２１】
前記無線接続が、赤外線送信およびＲＦ送信の一つを含む、請求項２０に記載のイメージングシステム。
【請求項２２】
歯科用オフィスのためのデジタル処理イメージングシステムであって、
複数の汎用ドッキングステーションであって、各汎用ドッキングステーションが歯科用オフィスの治療室に配され、各汎用ドッキングステーションが、複数のイメージングサブシステムへ動作ユーティリティおよび制御命令を提供するように構成され、各汎用ドッキングステーションが、前記複数のイメージングサブシステムの各々から表示および更なる処理のために出力信号を受け取るように構成される、複数の汎用ドッキングステーションと、
前記複数の汎用ドッキングステーションから離れて位置し、マルチプレクサコンポーネントを有する中央記録システムであって、前記複数の汎用ドッキングステーションの各々が、前記汎用ドッキングステーションの各々からの出力信号を受け取るため、および前記中央記録システムの動作を管理および実行するための前記マルチプレクサコンポーネントへ接続される、中央記録システムと
を備えるデジタル処理イメージングシステム。
【請求項２３】
前記中央記録システムが１または複数のプリンタを備える、請求項２２に記載のデジタル処理イメージングシステム。
【請求項２４】
前記中央記録システムが１または複数のコンピュータを備える、請求項２２に記載のデジタル処理イメージングシステム。
【請求項２５】
前記中央記録システムが１または複数の記憶装置を備える、請求項２２に記載のデジタル処理イメージングシステム。
【請求項２６】
前記記憶装置が、フロッピー（Ｒ）ディスク、ハードディスクビデオ画像記録装置、およびフラッシュメモリカード記録装置のうちの１つを備える、請求項２５に記載のデジタル処理イメージングシステム。
【請求項２７】
歯科治療室における歯科用イメージング装置のための汎用ドッキングステーションであって、
複数のインターフェースであって、
歯科治療室の歯科用イメージング装置から信号および情報を受け取るように構成され、改良型Ｌｅｍｏ（Ｒ）（レモ）レセプタクル、ＳビデオコネクタおよびデジタルＸ線ポートを備える複数の入力インターフェース、および
前記汎用ドッキングステーションから信号および情報を送信するように構成される複数の出力インターフェース
を備える複数のインターフェースと、
画像のデジタル制御および操作を行うように構成される画像処理ユーティリティと、
前記画像処理ユーティリティによって実行すべき動作を使用者が選択するための制御インターフェースと
を備える汎用ドッキングステーション。
【請求項２８】
前記複数の入力インターフェースで制御信号、電力、および光源の少なくとも１つを提供する手段を更に備える請求項２７に記載の汎用ドッキングステーション。
【請求項２９】
前記改良型Ｌｅｍｏ（Ｒ）（レモ）レセプタクル、前記Ｓビデオコネクタ、および前記デジタルＸ線ポートの少なくとも１つが、
口内または口外のイメージング用ビデオカメラ、
ビデオ式手術用顕微鏡、
エックス線フィルムスキャナ、および
デジタルＸ線センサおよびインターフェースモジュール
からのコネクタを受けるように構成される、
請求項２７に記載の汎用ドッキングステーション。
【請求項３０】
前記複数の入力インターフェースが無線送信インターフェースを備える、請求項２７に記載の汎用ドッキングステーション。
【請求項３１】
前記無線送信インターフェースが赤外線モジュールである、請求項３０に記載の汎用ドッキングステーション。
【請求項３２】
前記無線送信インターフェースがＲＦモジュールである、請求項３０に記載の汎用ドッキングステーション。
【請求項３３】
ビデオモニタを更に備える請求項２７に記載の汎用ドッキングステーション。
【請求項３４】
前記複数の出力インターフェースが、コンピュータ、コンピュータ用モニタ、マルチプレクサ、およびプリンタの少なくとも１つへの接続を受けるために少なくとも１つの出力接続ポイントを備える、請求項２７に記載の汎用ドッキングステーション。
【請求項３５】
前記画像処理ユーティリティは、前記複数の入力インターフェースで受け取ったビデオ出力信号から画像を捕捉する手段を備える、請求項２７に記載の汎用ドッキングステーション。
【請求項３６】
前記画像処理ユーティリティは、
複数の捕捉した画像をモニタに表示する手段と、
捕捉した画像を水平に反転する手段と、
捕捉した画像を垂直に反転する手段と、
捕捉した画像を回転する手段と、
捕捉した画像の倍率を変える手段と
を備える、
請求項３５に記載の汎用ドッキングステーション。
【請求項３７】
前記複数の入力インターフェースで受け取ったビデオ出力信号から画像を捕捉する前記手段は、前記改良型Ｌｅｍｏ（Ｒ）（レモ）レセプタクルおよび前記Ｓビデオコネクタで受け取ったビデオ出力信号を受け入れるように構成される、請求項３５に記載の汎用ドッキングステーション。
【請求項３８】
前記画像処理ユーティリティから離れて位置する遠隔装置を更に備える請求項２７に記載の汎用ドッキングステーション。
【請求項３９】
前記遠隔装置は足踏みスイッチである、請求項３８に記載の汎用ドッキングステーション。
【請求項４０】
前記遠隔装置が遠隔制御操作パネルである、請求項３８に記載の汎用ドッキングステーション。
【請求項４１】
前記遠隔操作制御パネルが配線接続によって前記画像処理ユーティリティと通信する、請求項４０に記載の汎用ドッキングステーション。
【請求項４２】
前記遠隔操作制御パネルが無線接続によって前記画像処理ユーティリティと通信する、請求項４０に記載の汎用ドッキングステーション。
【請求項４３】
前記無線接続が赤外線送信およびＲＦ送信の一つを含む、請求項４２に記載の汎用ドッキングステーション。